(57)【要約】【課題】ＩＰ電話を使用して広告内容を音声によって伝達するようにして、聴覚を利用した広告内容の伝達を行うことができるようにする。【解決手段】広告を伝達したい相手のＩＰ電話の電話番号を格納する広告先電話帳データベース２３と、前記ＩＰ電話の電話番号に対応するＳＩＰアドレスを取得するアドレス調査部２２と、該アドレス調査部２２から前記ＳＩＰアドレスを取り込み、ＳＩＰパケットを生成する呼制御部２１と、広告内容を含んだ音声データを格納する広告音声データファイル２６と、前記広告内容を含んだ音声データをＲＴＰパケットに変換する音声情報変換部２５と、前記呼制御部２１から前記ＳＩＰパケットを取り込んで前記ＳＩＰアドレスのＩＰ電話端末３０と通信を行い、前記音声情報変換部２５から取り込んだＲＴＰパケットを前記ＩＰ電話端末３０に送信するＩＰパケット処理部２４とを有する。【選択図】図１
2007228060.tif 000002
【特許請求の範囲】
【請求項１】
（ａ）広告を伝達したい相手のＩＰ電話の電話番号を格納する広告先電話帳データベースと、
（ｂ）前記ＩＰ電話の電話番号に対応するＳＩＰアドレスを取得するアドレス調査部と、
（ｃ）該アドレス調査部から前記ＳＩＰアドレスを取り込み、ＳＩＰパケットを生成する呼制御部と、
（ｄ）広告内容を含んだ音声データを格納する広告音声データファイルと、
（ｅ）前記広告内容を含んだ音声データをＲＴＰパケットに変換する音声情報変換部と、
（ｆ）前記呼制御部から前記ＳＩＰパケットを取り込んで前記ＳＩＰアドレスのＩＰ電話端末と通信を行い、前記音声情報変換部から取り込んだＲＴＰパケットを前記ＩＰ電話端末に送信するＩＰパケット処理部とを有することを特徴とするＩＰ電話広告装置。
【請求項２】
前記アドレス調査部は、前記ＩＰ電話の電話番号をＳＩＰアドレスに変換するＥＮＵＭシステムに接続され、前記広告先電話帳データベースから取り込んだＩＰ電話の電話番号を前記ＥＮＵＭシステムに送信し、前記ＩＰ電話の電話番号に対応するＳＩＰアドレスを前記ＥＮＵＭシステムから取得する請求項１に記載のＩＰ電話広告装置。
【請求項３】
前記アドレス調査部は、前記ＩＰ電話の電話番号に対応するＳＩＰアドレスを前記ＥＮＵＭシステムから取得することができない場合、他のＩＰ電話の電話番号を前記広告先電話帳データベースから取り込んで前記ＥＮＵＭシステムに送信する請求項２に記載のＩＰ電話広告装置。
【請求項４】
（ａ）前記広告先電話帳データベースは、前記ＩＰ電話の電話番号を項番に対応付けて格納し、
（ｂ）前記アドレス調査部は、前記項番を変更し、変更された項番に対応するＩＰ電話の電話番号を前記広告先電話帳データベースから取り込む請求項３に記載のＩＰ電話広告装置。
【発明の詳細な説明】
【技術分野】
【０００１】
本発明は、ＩＰ電話広告装置に関するものである。
【背景技術】
【０００２】
従来、インターネット、ＩＰ（Ｉｎｔｅｒｎｅｔ  Ｐｒｏｔｏｃｏｌ）ネットワーク等のネットワークを利用した広告の提供は、ネットワークに接続されたパーソナルコンピュータ、携帯電話機、ＰＨＳ（Ｐｅｒｓｏｎａｌ  Ｈａｎｄｙ−Ｐｈｏｎｅ  Ｓｙｓｔｅｍ）電話機等の画面に表示されるウェブ（Ｗｅｂ）ページ上にバナー（Ｂａｎｎｅｒ）広告として表示したり、広告内容を電子メールで送付したりすることによって行われている（例えば、特許文献１参照。）。
【特許文献１】特開２００３−０９４７５５号公報
【発明の開示】
【発明が解決しようとする課題】
【０００３】
しかしながら、前記従来のネットワークを利用した広告の提供システムにおいては、ウェブページや電子メールによって広告を提供するので、広告内容の伝達が視覚を利用したものとなり、聴覚を利用した広告内容の伝達を行うことができなかった。
【０００４】
本発明は、前記従来の広告の提供システムの問題点を解決して、ＩＰ電話を使用して広告内容を音声によって伝達するようにして、聴覚を利用した広告内容の伝達を行うことができるＩＰ電話広告装置を提供することを目的とする。
【課題を解決するための手段】
【０００５】
そのために、本発明のＩＰ電話広告装置においては、広告を伝達したい相手のＩＰ電話の電話番号を格納する広告先電話帳データベースと、前記ＩＰ電話の電話番号に対応するＳＩＰ（Ｓｅｓｓｉｏｎ  Ｉｎｉｔｉａｌ  Ｐｒｏｔｏｃｏｌ）アドレスを取得するアドレス調査部と、該アドレス調査部から前記ＳＩＰアドレスを取り込み、ＳＩＰパケットを生成する呼制御部と、広告内容を含んだ音声データを格納する広告音声データファイルと、前記広告内容を含んだ音声データをＲＴＰ（Ｒｅａｌ−ｔｉｍｅ  Ｔｒａｎｓｐｏｒｔ  Ｐｒｏｔｏｃｏｌ）パケットに変換する音声情報変換部と、前記呼制御部から前記ＳＩＰパケットを取り込んで前記ＳＩＰアドレスのＩＰ電話端末と通信を行い、前記音声情報変換部から取り込んだＲＴＰパケットを前記ＩＰ電話端末に送信するＩＰパケット処理部とを有する。
【０００６】
本発明の他のＩＰ電話広告装置においては、さらに、前記アドレス調査部は、前記ＩＰ電話の電話番号をＳＩＰアドレスに変換するＥＮＵＭ（Ｅｌｅｃｔｒｏｎｉｃ  Ｎｕｍｂｅｒｉｎｇ）システムに接続され、前記広告先電話帳データベースから取り込んだＩＰ電話の電話番号を前記ＥＮＵＭシステムに送信し、前記ＩＰ電話の電話番号に対応するＳＩＰアドレスを前記ＥＮＵＭシステムから取得する。
【０００７】
本発明の更に他のＩＰ電話広告装置においては、さらに、前記アドレス調査部は、前記ＩＰ電話の電話番号に対応するＳＩＰアドレスを前記ＥＮＵＭシステムから取得することができない場合、他のＩＰ電話の電話番号を前記広告先電話帳データベースから取り込んで前記ＥＮＵＭシステムに送信する。
【０００８】
本発明の更に他のＩＰ電話広告装置においては、さらに、前記広告先電話帳データベースは、前記ＩＰ電話の電話番号を項番に対応付けて格納し、前記アドレス調査部は、前記項番を変更し、変更された項番に対応するＩＰ電話の電話番号を前記広告先電話帳データベースから取り込む。
【発明の効果】
【０００９】
本発明によれば、ＩＰ電話広告装置は、広告を伝達したい相手のＩＰ電話の電話番号に対応するＳＩＰアドレスを取得してＳＩＰパケットを生成するとともに、広告内容を含んだ音声データをＲＴＰパケットに変換し、前記ＳＩＰアドレスのＩＰ電話端末と通信を行ってＲＴＰパケットを前記ＩＰ電話端末に送信するようになっている。そのため、ＩＰ電話を使用して広告内容を音声によって伝達することができ、聴覚を利用した広告内容の伝達を行うことができる。
【発明を実施するための最良の形態】
【００１０】
以下、本発明の実施の形態について図面を参照しながら詳細に説明する。
【００１１】
図１は本発明の実施の形態におけるＩＰ電話広告装置の構成を示す図、図２は本発明の実施の形態における電話帳テーブル内容データを示す図である。
【００１２】
図１において、２０は本実施の形態におけるＩＰ電話広告装置であり、第１ネットワーク１１を介してＥＮＵＭシステム１０に通信可能に接続されている。また、ＩＰ電話広告装置２０は、第２ネットワーク１２を介して複数のＩＰ電話端末３０に通信可能に接続されている。なお、前記第１ネットワーク１１及び第２ネットワーク１２は、ＴＣＰ／ＩＰプロトコルによってデータ通信が可能な通信回線網としてのＩＰネットワークであって、例えば、インターネット、ＩＰ電話回線網等であるが、無線回線網であっても有線回線網であってもよく、複数の回線網を含むものであってもよく、いかなる種類の回線網であってもよい。また、図１においては、第１ネットワーク１１と第２ネットワーク１２とが別個のものとして示されているが、前記第１ネットワーク１１及び第２ネットワーク１２は同一のものであってもよい。
【００１３】
ここで、前記ＥＮＵＭシステム１０は、ＩＰ電話に対して一般の加入電話側から発信する際に必要になる電話番号と、該電話番号のＩＰ電話のユーザが使用しているＩＰアドレスとの変換を行うシステムであり、例えば、インターネット上のサービスやリソースと電話番号とを結び付けるシステムである。これにより、電話番号という統一的な識別子によって、インターネット等のＩＰネットワーク上で通信相手を指定することができる。そして、前記ＥＮＵＭシステム１０は、ＣＰＵ、ＭＰＵ等の演算手段、半導体メモリ、磁気ディスク等の記憶手段、通信インターフェイス等を備える一種のコンピュータシステムであり、例えば、パーソナルコンピュータ、サーバ等のコンピュータ装置であるが、単一のコンピュータ装置から成るものであってもよいし、分散型サーバのように、複数のコンピュータ装置を接続して構成したものであってもよい。
【００１４】
そして、前記ＥＮＵＭシステム１０は、第１ネットワーク１１を介してＩＰ電話広告装置２０のアドレス調査部２２と接続され、ＩＰ電話広告装置２０から出力された電話番号をＳＩＰ  ＵＲＩ（ＳＩＰアドレス）のデータに変換して出力する機能を有する。なお、ＳＩＰは、ＩＰ電話において、音声通話、テレビ電話、ビデオ通信、チャット等のマルチメディア通信を開始したり終了したりするために使用されるプロトコルである。さらに、ＵＲＩ（Ｕｎｉｆｏｒｍ  Ｒｅｓｏｕｒｃｅ  Ｉｄｅｎｔｉｆｉｅｒ）は、インターネット上等において、抽象的な資源又は場所で指定された資源を識別する簡潔な文字列であり、ＵＲＬ（Ｕｎｉｆｏｒｍ  Ｒｅｓｏｕｒｃｅ  Ｌｏｃａｔｏｒ）を拡張した記述様式である。なお、前記ＥＮＵＭシステム１０は、前記ＩＰ電話広告装置２０と一体的に構成されたものであってもよい。
【００１５】
また、前記ＩＰ電話端末３０は、固定電話機、携帯電話機、ＰＨＳ電話機等の通常の電話機であり、第２ネットワーク１２を介して、ＩＰ電話広告装置２０のＩＰパケット処理部２４と接続されている。そして、前記ＩＰ電話端末３０は、ＶｏＩＰ（Ｖｏｉｃｅ  ｏｖｅｒ  ＩＰ）技術を利用して、ＴＣＰ／ＩＰプロトコルによってデータ通信が可能な通信回線網である第２ネットワーク１２上で音声通話を行うことができるようになっている。なお、前記ＩＰ電話端末３０の数は任意に設定することができる。
【００１６】
さらに、前記ＩＰ電話広告装置２０は、ＣＰＵ、ＭＰＵ等の演算手段、半導体メモリ、磁気ディスク等の記憶手段、通信インターフェイス等を備える一種のコンピュータシステムであり、例えば、パーソナルコンピュータ、サーバ等のコンピュータ装置であるが、単一のコンピュータ装置から成るものであってもよいし、分散型サーバのように、複数のコンピュータ装置を接続して構成したものであってもよい。そして、機能の観点から、前記ＩＰ電話広告装置２０は、呼制御部２１、アドレス調査部２２、広告先電話帳データベース２３、ＩＰパケット処理部２４、音声情報変換部２５及び広告音声データファイル２６を備える。なお、前記ＩＰ電話広告装置２０の運用及び管理は、広告を提供する各種企業、団体、個人等の広告提供者によって行われるが、広告代理店等のような広告提供者の委託を受けた者によって行われてもよい。
【００１７】
ここで、前記呼制御部２１は、前記アドレス調査部２２とＩＰパケット処理部２４とに接続されている。そして、前記呼制御部２１は、アドレス調査部２２から出力されたＳＩＰ  ＵＲＩ（ＳＩＰアドレス）を入力として取り込み、該ＳＩＰ  ＵＲＩ（ＳＩＰアドレス）をＩＰ電話端末３０と通信を行う際にＩＰ電話のＳＩＰの呼制御を行うためのＳＩＰパケットを生成し、その結果をＩＰパケット処理部２４へ出力する機能を有する。
【００１８】
また、前記アドレス調査部２２は、前記呼制御部２１と広告先電話帳データベース２３とに接続され、さらに、第１ネットワーク１１を介してＥＮＵＭシステム１０に接続されている。そして、前記アドレス調査部２２は、前記広告先電話帳データベース２３から任意のＩＰ電話の電話番号を抽出してＥＮＵＭシステム１０へ送信し、前記電話番号に対応するＳＩＰ  ＵＲＩ（ＳＩＰアドレス）を問い合わせ、問い合わせの結果としてＥＮＵＭシステム１０から得られたＳＩＰ  ＵＲＩ（ＳＩＰアドレス）を呼制御部２１へ出力する機能を有する。
【００１９】
さらに、前記広告先電話帳データベース２３は、図２に示されるように、項番と広告を伝達したい相手のＩＰ電話の電話番号とが対になって登録されたデータを、電話帳テーブル内容データ２３ａとして格納している。
【００２０】
そして、前記ＩＰパケット処理部２４は、呼制御部２１と音声情報変換部２５とに接続され、さらに、第２ネットワーク１２を介してＩＰ電話端末３０と接続されている。ここで、前記ＩＰパケット処理部２４は、呼制御部２１より出力された呼制御を行うためのＳＩＰパケットや音声情報変換部２５より出力されたＲＴＰパケットを入力として取り込み、取り込んだパケットを組み立ててＩＰ電話端末３０と通信する機能を有する。
【００２１】
また、前記音声情報変換部２５は、ＩＰパケット処理部２４と広告音声データファイル２６とに接続されている。そして、前記音声情報変換部２５は、広告音声データファイル２６から出力された音声データを入力として取り込み、ＩＰ電話端末３０と通信を行う際に用いられるＲＴＰパケットに前記音声データを変換し、ＩＰパケット処理部２４へ出力する機能を有する。
【００２２】
さらに、前記広告音声データファイル２６は音声情報変換部２５に接続されている。なお、前記広告音声データファイル２６は、あらかじめ作成された広告内容を含んだ音声データとしての広告音声データを格納するファイルであり、例えば、ＷＡＶＥ（ウェイブ）ファイル等のファイル形式のものである。
【００２３】
次に、前記構成のＩＰ電話広告装置２０の動作について説明する。
【００２４】
図３は本発明の実施の形態における呼制御部の動作を示すフローチャート、図４は本発明の実施の形態におけるアドレス調査部の動作を示すフローチャート、図５は本発明の実施の形態におけるＩＰパケット処理部の動作を示すフローチャート、図６は本発明の実施の形態における音声情報変換部の動作を示すフローチャートである。
【００２５】
まず、アドレス調査部２２は、広告先電話帳データベース２３に格納されている電話帳テーブル内容データ２３ａから、任意の項番に対応するＩＰ電話の電話番号を取得する。すなわち、広告先電話帳データベース２３よりＩＰ電話の電話番号を取り込む。
【００２６】
続いて、前記アドレス調査部２２は、広告先電話帳データベース２３から取得したＩＰ電話の電話番号をＥＮＵＭシステム１０へ送信し、前記電話番号に対応するＳＩＰ  ＵＲＩ（ＳＩＰアドレス）を問い合わせる。すなわち、ＥＮＵＭシステム１０へ電話番号に対応するＳＩＰ  ＵＲＩ（ＳＩＰアドレス）を問い合わせる。
【００２７】
そして、ＥＮＵＭシステム１０より問い合わせ結果が回答されると、前記アドレス調査部２２は、問い合わせ結果に基づき、ＳＩＰ  ＵＲＩ（ＳＩＰアドレス）があるか否かを判断する。ここで、ＳＩＰ  ＵＲＩ（ＳＩＰアドレス）がない場合、前記アドレス調査部２２は、前記任意の項番を１だけインクリメントして更新し、更新した項番に対応するＩＰ電話の電話番号を前記電話帳テーブル内容データ２３ａから取得し、前述の動作を繰り返す。すなわち、広告先電話帳データベース２３の項番に１を加算して広告先電話帳データベース２３よりＩＰ電話の電話番号を取り込み、前述の動作を繰り返す。
【００２８】
また、ＳＩＰ  ＵＲＩ（ＳＩＰアドレス）がある場合、前記アドレス調査部２２は、ＩＰ電話の電話番号に対応するＳＩＰ  ＵＲＩ（ＳＩＰアドレス）をＥＮＵＭシステム１０から取得する。すなわち、対応するＳＩＰ  ＵＲＩ（ＳＩＰアドレス）を取り込む。そして、前記アドレス調査部２２は、ＥＮＵＭシステム１０から取得したＳＩＰ  ＵＲＩ（ＳＩＰアドレス）を呼制御部２１へ出力する。すなわち、対応するＳＩＰ  ＵＲＩ（ＳＩＰアドレス）を出力する。
【００２９】
一方、前記呼制御部２１は、アドレス調査部２２から出力されたＳＩＰ  ＵＲＩ（ＳＩＰアドレス）を取り込み、呼制御パケットの処理を行い、ＩＰ電話端末３０と通信を行う際にＩＰ電話のＳＩＰの呼制御を行うためのＳＩＰパケットを生成する。そして、前記呼制御部２１は、生成したＳＩＰパケットをＩＰパケット処理部２４へ出力する。
【００３０】
すると、該ＩＰパケット処理部２４は、データ、すなわち、呼制御部２１から出力されたＳＩＰパケットを取り込む。そして、前記ＩＰパケット処理部２４は、該当するＳＩＰ  ＵＲＩ（ＳＩＰアドレス）のＩＰ電話端末３０と通信を行う。なお、該通信はＳＩＰによる呼制御通信である。
【００３１】
また、前記ＩＰパケット処理部２４がＳＩＰによる呼制御通信を行うのと同時に、前記音声情報変換部２５は、広告音声データファイル２６から広告音声データを取り込む。そして、前記音声情報変換部２５は、取り込んだ広告音声データをＲＴＰパケットに変換して、広告音声データのＲＴＰパケットをＩＰパケット処理部２４へ出力する。
【００３２】
そして、前記ＩＰパケット処理部２４は、呼が確立すると、音声情報変換部２５から広告音声データのＲＴＰパケットを取り込み、ＩＰ電話端末３０に送信する。
【００３３】
次に、フローチャートについて説明する。まず、呼制御部２１の動作を示すフローチャートについて説明する。
ステップＳ１  ＳＩＰ  ＵＲＩ（ＳＩＰアドレス）を取り込む。
ステップＳ２  呼制御パケットの処理を行う。
ステップＳ３  生成したＳＩＰパケットをＩＰパケット処理部２４へ出力し、処理を終了する。
【００３４】
次に、アドレス調査部２２の動作を示すフローチャートについて説明する。
ステップＳ１１  広告先電話帳データベース２３よりＩＰ電話の電話番号を取り込む。
ステップＳ１２  ＥＮＵＭシステム１０へ電話番号に対応するＳＩＰ  ＵＲＩ（ＳＩＰアドレス）を問い合わせる。
ステップＳ１３  ＳＩＰ  ＵＲＩ（ＳＩＰアドレス）があるか否かを判断する。ＳＩＰ  ＵＲＩ（ＳＩＰアドレス）がある場合はステップＳ１４に進み、ＳＩＰ  ＵＲＩ（ＳＩＰアドレス）がない場合はステップＳ１６に進む。
ステップＳ１４  対応するＳＩＰ  ＵＲＩ（ＳＩＰアドレス）を取り込む。
ステップＳ１５  対応するＳＩＰ  ＵＲＩ（ＳＩＰアドレス）を出力して、処理を終了する。
ステップＳ１６  広告先電話帳データベース２３の項番に１を加算する。
【００３５】
次に、ＩＰパケット処理部２４の動作を示すフローチャートについて説明する。
ステップＳ２１  データを取り込む。
ステップＳ２２  該当するＳＩＰ  ＵＲＩ（ＳＩＰアドレス）のＩＰ電話端末３０と通信を行い、処理を終了する。
【００３６】
次に、音声情報変換部２５の動作を示すフローチャートについて説明する。
ステップＳ３１  広告音声データファイル２６から広告音声データを取り込む。
ステップＳ３２  取り込んだ広告音声データをＲＴＰパケットに変換する。
ステップＳ３３  広告音声データのＲＴＰパケットをＩＰパケット処理部２４へ出力して、処理を終了する。
【００３７】
次に、ＩＰ電話広告装置２０とＩＰ電話端末３０との間の通信シーケンスについて説明する。
【００３８】
図７は本発明の実施の形態におけるＩＰ電話広告装置とＩＰ電話端末との通信シーケンスを示す図である。
【００３９】
ここでは、前記アドレス調査部２２がＳＩＰ  ＵＲＩ（ＳＩＰアドレス）を問い合わせるためにＥＮＵＭシステム１０へ送信したＩＰ電話の電話番号が、図２に示されるような電話帳テーブル内容データ２３ａにおいて、項番０に対応する「０５０−００００−００００」であるものとする。そして、前記ＥＮＵＭシステム１０から回答された問い合わせ結果としてのＳＩＰ  ＵＲＩ（ＳＩＰアドレス）が「ｓｉｐ：ｎａｍｅ１＠ｓｉｐｓｅｒｖｅｒ１．ｄｏｍａｉｎＡ」であるものとする。また、前記ＩＰ電話広告装置２０のＳＩＰアドレスが「ｓｉｐ：ｐｕｂｌｉｃｉｔｙ＠ｍｅｉｗａｋｕ．ｃｏｍ」であるものとする。
【００４０】
このとき、呼制御部２１は、図７に示されるようなＩＰ電話広告装置２０とＩＰ電話端末３０との通信シーケンスによって広告音声データを送信する。これにより、ＩＰ電話端末３０から広告音声データが音声出力されるので、前記ＩＰ電話端末３０のユーザは、広告内容を聴取することができる。
【００４１】
このように、本実施の形態において、ＩＰ電話広告装置２０は、ＴＣＰ／ＩＰプロトコルによってデータ通信が可能な通信回線網としての第２ネットワーク１２を介して接続されているＩＰ電話端末３０に自動的にＩＰ電話をかけて、広告音声データを伝達するようになっている。そのため、広告先電話帳データベース２３に格納された広告を伝達したい相手に対して、聴覚を利用した広告内容の伝達を行うことができ、あたかもラジオから流れているように、音声による広告を提供することができる。また、通信料金が低額なＩＰ電話を使用するので、低いコストで広告を提供することができる。
【００４２】
なお、本実施の形態においては、広告音声データファイル２６に広告内容を含んだ音声データとしての広告音声データを格納した場合についてのみ説明したが、前記広告音声データファイル２６に伝言内容を含んだ音声データを格納すれば、ＩＰ電話広告装置２０をＩＰ電話を用いた伝言装置にも適用することができる。
【００４３】
また、本発明は前記実施の形態に限定されるものではなく、本発明の趣旨に基づいて種々変形させることが可能であり、それらを本発明の範囲から排除するものではない。
【図面の簡単な説明】
【００４４】
【図１】本発明の実施の形態におけるＩＰ電話広告装置の構成を示す図である。
【図２】本発明の実施の形態における電話帳テーブル内容データを示す図である。
【図３】本発明の実施の形態における呼制御部の動作を示すフローチャートである。
【図４】本発明の実施の形態におけるアドレス調査部の動作を示すフローチャートである。
【図５】本発明の実施の形態におけるＩＰパケット処理部の動作を示すフローチャートである。
【図６】本発明の実施の形態における音声情報変換部の動作を示すフローチャートである。
【図７】本発明の実施の形態におけるＩＰ電話広告装置とＩＰ電話端末との通信シーケンスを示す図である。
【符号の説明】
【００４５】
１０    ＥＮＵＭシステム
２０    ＩＰ電話広告装置
２１    呼制御部
２２    アドレス調査部
２３    広告先電話帳データベース
２４    ＩＰパケット処理部
２５    音声情報変換部
２６    広告音声データファイル
３０    ＩＰ電話端末
【図１】
2007228060.tif 000003
【図２】
2007228060.tif 000004
【図３】
2007228060.tif 000005
【図４】
2007228060.tif 000006
【図５】
2007228060.tif 000007
【図６】
2007228060.tif 000008
【図７】
2007228060.tif 000009